(57)【要約】【課題】本発明は、洗濯物を干すのが容易で且つ取り入れ易いとともに、コンパクト且つ容易に収納できるハンガーを提供することを目的とする。【解決手段】本発明のハンガー１０を、複数本のアーム部材１２を上へ回動させて開き又はアーム部材１２を下へ回動させて閉じる開閉アーム１４と、アーム部材１２を閉じた状態又は開いた状態に維持するロック手段１６と、物干し竿（懸吊部材）１８に引っ掛けるフック２０と、手２２で握って保持する把持部２４と、を備えて構成し、開いた開閉アーム１４により衣服（衣料品）２６を支持し、把持部２４が手２２で握られた状態で、開閉アーム１４を閉じることによって、衣服２６は、アーム部材１２に沿って落下し手２２又は腕２８へ誘導されるようにした。【選択図】図１
2010137049.tif 000002
【特許請求の範囲】
【請求項１】
アーム部材を上へ回動させて開き又は該アーム部材を下へ回動させて閉じる開閉アームと、
前記アーム部材を閉じた状態又は開いた状態に維持するロック手段と、
懸吊部材に引っ掛けるフックと、
手で握って保持する把持部と、を備え、
開いた前記開閉アームにより衣料品を支持し、該開閉アームの下部に位置する前記把持部が手で握られた状態で、該開閉アームを閉じることによって、該衣料品は、前記アーム部材に沿って落下し、該開閉アームの下部に位置する手又は腕へ誘導されるハンガー。
【請求項２】
前記開閉アームを開く方向の付勢力を付与する付勢手段が備えられ、前記ロック手段は、該付勢力に抗して該開閉アームが閉じた状態に維持し、
前記開閉アームが、一端に前記フックを備え他端に前記把持部を備えたポールと、該ポールにピン結合された前記アーム部材と、該ポールに対して摺動可能な第一の摺動部材と、該アーム部材及び第一の摺動部材にピン結合された第一のリンクと、該第一の摺動部材よりも該把持部側において該ポールに対して摺動可能な第二の摺動部材と、該第一のリンク及び該第二の摺動部材にピン結合された第二のリンクと、から構成され、
前記付勢手段が、前記第一の摺動部材及び第二の摺動部材を離隔させる方向に付勢力を付与することにより、前記開閉アームを開く方向の付勢力を付与する請求項１に記載するハンガー。
【請求項３】
前記開閉アームを開く方向の付勢力を付与する付勢手段が備えられ、前記ロック手段は、該付勢力に抗して該開閉アームが閉じた状態に維持する請求項１に記載するハンガー。
【請求項４】
前記開閉アームが、一端に前記フックが固定され他端に把持部が固定されたポールと、該ポールにピン結合された前記アーム部材と、該ポールに対して摺動可能な摺動部材と、該アーム部材及び摺動部材にピン結合されたリンクと、から構成され、
一方の手で前記把持部を握り、他方の手で前記ロック手段を作動させることにより、該一方の手で前記把持部を握ったままの状態で前記開閉アームを閉じることができる請求項１又は請求項３に記載するハンガー。
【請求項５】
前記アーム部材の回動軸から前記把持部までの距離が一定である請求項１〜請求項３のいずれかに記載するハンガー。
【発明の詳細な説明】
【技術分野】
【０００１】
本発明は、洗濯した衣料品の乾燥等のために衣料品を支持するハンガーに関する。
【０００２】
従来から、洗濯物を乾燥するため、又は衣料品をタンス等に収納するために、衣料品を支持するハンガーが使用されている。また、ハンガーに関して干し易さ等の観点から案出がなされている（例えば、特許文献１及び特許文献２参照。）。
【０００３】
しかし、洗濯物の干し易さ、及び洗濯物の取り入れ易さを総合的に考慮したハンガーが望まれている。また、コンパクト且つ容易に収納できるハンガーも望まれている。
【先行技術文献】
【特許文献】
【０００４】
【特許文献１】特開２００６−７５５７３号公報
【特許文献２】特開２００６−５９５号公報
【発明の概要】
【発明が解決しようとする課題】
【０００５】
そこで、本発明者は、このような課題の原因を究明してこのような課題を解決するべく、鋭意研究を重ねた結果、本発明に至ったのである。
【０００６】
すなわち、本発明は、洗濯物を干すのが容易で且つ取り入れ易いとともに、コンパクト且つ容易に収納できるハンガーを提供することを目的とする。
【課題を解決するための手段】
【０００７】
本発明のハンガーは、アーム部材を上へ回動させて開き又は該アーム部材を下へ回動させて閉じる開閉アームと、前記アーム部材を閉じた状態又は開いた状態に維持するロック手段と、懸吊部材に引っ掛けるフックと、手で握って保持する把持部と、を備え、開いた前記開閉アームにより衣料品を支持し、該開閉アームの下部に位置する前記把持部が手で握られた状態で、該開閉アームを閉じることによって、該衣料品は、前記アーム部材に沿って落下し、該開閉アームの下部に位置する手又は腕へ誘導されることを特徴とする。
【０００８】
また、本発明のハンガーは、前記ハンガーにおいて、前記開閉アームを開く方向の付勢力を付与する付勢手段が備えられ、前記ロック手段は、該付勢力に抗して該開閉アームが閉じた状態に維持し、前記開閉アームが、一端に前記フックを備え他端に前記把持部を備えたポールと、該ポールにピン結合された前記アーム部材と、該ポールに対して摺動可能な第一の摺動部材と、該アーム部材及び第一の摺動部材にピン結合された第一のリンクと、該第一の摺動部材よりも該把持部側において該ポールに対して摺動可能な第二の摺動部材と、該第一のリンク及び該第二の摺動部材にピン結合された第二のリンクと、から構成され、前記付勢手段が、前記第一の摺動部材及び第二の摺動部材を離隔させる方向に付勢力を付与することにより、前記開閉アームを開く方向の付勢力を付与することを特徴とする。
【０００９】
また、本発明のハンガーは、前記ハンガーにおいて、前記開閉アームを開く方向の付勢力を付与する付勢手段が備えられ、前記ロック手段は、該付勢力に抗して該開閉アームが閉じた状態に維持することを特徴とする。
【００１０】
また、本発明のハンガーは、前記ハンガーにおいて、前記開閉アームが、一端に前記フックが固定され他端に把持部が固定されたポールと、該ポールにピン結合された前記アーム部材と、該ポールに対して摺動可能な摺動部材と、該アーム部材及び摺動部材にピン結合されたリンクと、から構成され、一方の手で前記把持部を握り、他方の手で前記ロック手段を作動させることにより、該一方の手で前記把持部を握ったままの状態で前記開閉アームを閉じることができることを特徴とする。
【００１１】
また、本発明のハンガーは、前記ハンガーにおいて、前記アーム部材の回動軸から前記把持部までの距離が一定であることを特徴とする。
【発明の効果】
【００１２】
本発明のハンガーによれば、ロック手段を解除して開閉アームを開き、フックを懸吊部材に引っ掛けて衣料品を干すことができるため、洗濯物を干すのが容易である。また、開閉アームを閉じることにより、洗濯物を取り入れることができ、取り入れが容易である。また、開閉アームを閉じて維持することにより、傘立て等にコンパクト且つ容易に収納できる。すなわち、本発明のハンガーによれば、洗濯物を干すのが容易で且つ取り入れ易いとともに、コンパクト且つ容易に収納できる。
【図面の簡単な説明】
【００１３】
【図１】本発明のハンガーを示す図であり、同図（ａ）は正面図であり、同図（ｂ）は側面図である。
【図２】図１のハンガーの使用状態を示す図であり、同図（ａ）は閉じた状態の正面図であり、同図（ｂ）は開いた状態の正面図である。
【図３】図１のハンガーの使用状態を示す図であり、同図（ａ）は衣服を干す状態の正面図であり、同図（ｂ）は衣服を取り入れる状態の正面図である。
【図４】図１のハンガーの使用状態を示す図であり、衣服を取り入れた状態の正面図である。
【図５】本発明のハンガーの他の実施例を示す図であり、同図（ａ）は正面図であり、同図（ｂ）は側面図である。
【図６】本発明のハンガーの更に他の実施例を示す正面図である。
【図７】図６のハンガーの使用状態を示す正面図である。
【発明を実施するための最良の形態】
【００１４】
次に、本発明に係るハンガーについて、図面に基づいて詳しく説明する。図１〜図４において、符号１０は本発明のハンガーを示す。
【００１５】
本発明のハンガー１０は、複数本のアーム部材１２を上へ回動させて開き又はアーム部材１２を下へ回動させて閉じる開閉アーム１４と、アーム部材１２を閉じた状態又は開いた状態に維持するロック手段１６と、物干し竿（懸吊部材）１８に引っ掛けるフック２０と、手２２で握って保持する把持部２４と、を備えている。これにより、開いた開閉アーム１４により衣服（衣料品）２６を支持し、開閉アーム１４の下部に位置する把持部２４が手２２で握られた状態で、開閉アーム１４を閉じることによって、衣服２６は、アーム部材１２に沿って落下し、開閉アーム１４の下部に位置する手２２又は腕２８へ誘導される。
【００１６】
開閉アーム１４は、上端にフック２０が固定され下端に把持部２４が固定されたポール３０と、ポール３０にピン結合されたアーム１２と、ポール３０に対して摺動可能な摺動部材３２と、アーム１２及び摺動部材３２にピン結合されたリンク３４とから構成されている。また、開閉アーム１４を開く方向の付勢力を付与する引張バネ（付勢手段）３６が備えられ、ロック手段１６によるロック状態を解除した場合には自動的に開閉アーム１４が開くように構成されている。
【００１７】
ロック手段１６は、係止金具３８を摺動部材３２の溝に係止することにより、引張バネ３６の付勢力に抗して開閉アーム１４が閉じた状態に維持するように構成されている。なお、開閉アーム１４が開いた状態に維持することは、引張バネ３６が限界まで圧縮されて圧縮が止まることにより行われる。
【００１８】
フック２０は、物干し竿１８に引っ掛けることができる程度の内径の湾曲形状に構成されている。把持部２４は、ロック手段３２の下方に常に位置するように構成され、ロック手段３２及び開閉アーム１４と干渉しないように構成されている。また、アーム部材１２の回動軸１３から把持部２４までの距離は、開閉アーム１４の状態に関係なく一定である。これにより、一方の手で把持部２４を握り、他方の手でロック手段３２を作動させることにより、一方の手で把持部２４を握って一方の手の位置を確保したままの状態で開閉アーム１４を閉じることができる。よって、衣服２６を確実に一方の手へ導くことができる。
【００１９】
このような構成のハンガー１０を使用して洗濯した衣服２６を干す場合の作用について以下に説明する。まず、図２（ａ）に示すように、ハンガー１０の把持部２４を一方の手２２で保持しながら衣服２６の下からハンガー１０を挿入する。衣服２６の下からハンガー１０を挿入するため、衣服２６の首部分が伸びてしまうことがない。
【００２０】
次に、一方の手２２の親指で係止金具３８を押圧してロック手段１６によるロック状態を解除することにより、摺動部材３２が係止金具３８から解除され、引張バネ３６の付勢力によって摺動部材３２がポール３０に沿って上へ摺動し、図２（ｂ）に示すように、開閉アーム１４が開いて止まる。開閉アーム１４が開くことにより、アーム部材１２が衣服２６を広げながら支持する。
【００２１】
このようにして衣服２６を支持した状態で、図３（ａ）に示すように、フック２０を物干し竿１８に引っ掛けることにより、衣服２６を干すことができる。ロック手段１６をワンタッチで解除して開閉アーム１４を開き、フック２０を物干し竿１８に引っ掛けて衣服２６を干すことができるため、従来よりも迅速に衣服２６を干す作業を行える。
【００２２】
このようにして衣服２６を干すことにより衣服２６が乾いた場合には、把持部２４を一方の手２２で保持した状態で、他方の手で摺動部材３２を保持してポール３０に沿って下へ摺動させ、図３（ｂ）に示すように、係止金具３８を摺動部材３２の溝に係止することにより、開閉アーム１４が閉じた状態に維持される。
【００２３】
開平アーム１４が閉じることにより、衣服２６はアーム部材１２に沿って摺動しながら落下した後、リンク３４に接触しないでリンク３４の周囲の空間を通り、図４に示すように、一方の手２２から腕２８まで誘導されて腕２８に引っ掛かる。そして、一方の手２２を把持部２４から離せば、そのまま衣服２６を一方の手２２又は腕２８で保持して取り入れることができる。このため、衣服２６をハンガー１０から外す作業を行うことなく、衣服２６を取り入れることができる。
【００２４】
このようなハンガー１０によれば、ロック手段１６をワンタッチで解除して開閉アーム１４を開き、フック２０を物干し竿１８に引っ掛けて衣服２６を干すことができるため、洗濯物を干すのが容易である。また、開閉アーム１４を閉じることにより、衣服２６を取り入れることができ、取り入れが容易である。また、開閉アーム１４を閉じて維持することにより、傘立て等にコンパクト且つ容易に収納できる。
【００２５】
以上、本発明の一実施形態について説明したが、本発明はその他の態様でも実施できる。例えば、図５に示すハンガー５０であってもよい。このハンガー５０は、バネ３６を備えず、手動によって開閉アーム１４を開いて係止金具５２を摺動部材３２に係止することによって開いた状態を維持できるように構成されている、このようなハンガー１０であっても、開閉アーム１４を閉じることにより、衣服２６を取り入れることができ、取り入れが容易である。
【００２６】
また、本発明のハンガーは、図６及び図７に示すハンガー１００であってもよい。このハンガー１００は、開閉アーム１０２が、一端にフック２０が固定され他端に把持部２４が固定されたポール３０と、ポール３０にピン結合されたアーム部材１２と、ポール３０に対して摺動可能な第一の摺動部材１０４と、アーム部材１２及び第一の摺動部材１０４にピン結合された第一のリンク１０６と、第一の摺動部材１０４よりも把持部２４側においてポール３０に対して摺動可能な第二の摺動部材１０８と、第一のリンク１０６及び第二の摺動部材１０８にピン結合された第二のリンク１１０と、から構成されている。また、圧縮バネ（付勢手段）１１２が、第一の摺動部材１０４及び第二の摺動部材１０８を離隔させる方向に付勢力を付与することにより、開閉アーム１０２を開く方向の付勢力を付与するように構成されている。
【００２７】
このハンガー１００によれば、係止金具３８を押圧してロック手段１６によるロック状態を解除すると、第一の摺動部材１０４及び第二の摺動部材１０８が離隔する方向に付勢力が付与されることにより、第一のリンク１０６及び第二のリンク１１０が開きながら、第一の摺動部材１０４及び第二の摺動部材１０８がポール３０に沿ってフック２０に向かって摺動し、第一のリンク１０６が、図７に示すようにアーム部材１２を開かせる。なお、ストッパー１１４によって止まる第一の摺動部材１０４のストロークは、螺子１１６を螺子してストッパー１１４をアーム３０に止める孔１１８を変えることによって調節できる。このハンガー１００によれば、図１のバネ３６よりも短いバネ１１２の付勢力によって開閉アーム１０２を開くことができる。このようなハンガー１００によっても、ロック手段１６をワンタッチで解除して開閉アーム１０２を開き、フック２０を物干し竿１８に引っ掛けて衣服２６を干すことができる。
【００２８】
また、本発明は図示した実施形態には限定されない。例えば、本発明のハンガーを用いて干す衣料品は衣服に限定されず、装飾品等であってもよい。また、フック及び把持部は、ポールに固定されるものに限定されず、ポールと一体であってもよい。その他、本発明の技術的範囲には、その趣旨を逸脱しない範囲で当業者の知識に基づき種々なる改良、修正、変形を加えた態様も含まれる。また、同一の作用又は効果が生じる範囲内で、いずれかの発明特定事項を他の技術に置換した形態で実施しても良い。
【産業上の利用可能性】
【００２９】
本発明のハンガーによれば、洗濯物を干すのが容易で且つ取り入れ易いとともに、コンパクト且つ容易に収納できる。このため、洗濯物を干すためのハンガーとして広く利用できる。
【符号の説明】
【００３０】
１０、５０、１００：ハンガー
１２：アーム部材
１４、１０２：開閉アーム
１６：ロック手段
１８：物干し竿（懸吊部材）
２０：フック
２２：手
２４：把持部
２６：衣服（衣料品）
２８：腕
３０：ポール
３２：摺動部材
３４：リンク
３６：引張バネ（付勢手段）
１０４：第一の摺動部材
１０６：第一のリンク
１０８：第二の摺動部材
１１０：第二のリンク
１１２：圧縮バネ
【図１】
2010137049.tif 000003
【図２】
2010137049.tif 000004
【図３】
2010137049.tif 000005
【図４】
2010137049.tif 000006
【図５】
2010137049.tif 000007
【図６】
2010137049.tif 000008
【図７】
2010137049.tif 000009